(57)【要約】【課題】読み取ったイメージを転送し、使用者が意図する区切り位置を手動指定して区切ってデータ入力できず、表示場所しか定義できないものであった。【解決手段】画像読み取り手段１０９と、読み取り画像情報を送信する送信手段１１０を備える第１の機器１０７と、画像情報を受信する受信手段１１１と、表示手段１１３を備える第２の機器１０８を備え、第１の機器１０７または第２の機器１０８は、予め決められたルールに従って読み取り画像を画像ブロックとして区切る区切り手段１１４と表示方法決定手段１１５を備え、表示方法決定手段１１５は、画像ブロック単位毎に表示方法を決定するので、手間のかかる画像区切りを自動的に行い、切り出し画像ブロック毎に表示方法を定義できる。【選択図】図１
2013218131.tif 000002
【特許請求の範囲】
【請求項１】
画像を読み取るための画像読み取り手段と、画像情報を送信するための送信手段とを備える第１の機器と、
前記送信された画像情報を受信する受信手段と、表示手段を備える第２の機器を備え、
前記第１の機器または前記第２の機器は、予め決められたルールに従って前記画像読み取り手段で読み取った画像を画像ブロックとして区切る区切り手段と表示方法決定手段を備え、
前記表示方法決定手段は、前記区切り手段によって区切られた画像ブロック単位毎に前記表示手段での表示方法を決定する画像表示システム。
【請求項２】
前記区切り手段は、前記画像読み取り手段が読み取った画像情報の輝度または色などの画素値が隣接する画素間の差が所定値以下の部分が所定面積以上あった場合に、前記所定値以下の部分に囲まれる部分を前記画像ブロックとして区切る、請求項１記載の画像表示システム。
【請求項３】
区切り枠記憶手段を備え、前記区切り手段は、前記画像読み取り手段が読み取った画像情報の中に、前記区切り枠記憶手段に記憶されている図形を認識した場合に、囲まれる部分を前記画像ブロックとして区切る、請求項１または２に記載の画像表示システム。
【請求項４】
前記表示方法決定手段は、前記表示手段の表示サイズに合わせて一番大きい前記画像ブロックを基準にサイズ変換を行うよう決定する請求項１〜３のいずれか１項記載の画像表示システム。
【請求項５】
前記表示方法決定手段は、前記表示手段の表示サイズに合わせて全ての前記画像ブロックの縦または横が最大サイズになるようサイズ変換を行うことを決定する請求項１〜３のいずれか１項記載の画像表示システム。
【請求項６】
前記表示方法決定手段は、前記画像ブロックの表示順序を決定する請求項１〜５のいずれか１項記載の画像表示システム。
【請求項７】
数字または文字または記号などのキャラクタを認識するためのキャラクタ認識手段を備え、前記区切り手段は、区切った前記画像ブロックを含む所定画素数内に前記キャラクタ認識手段で認識したキャラクタに一定の順序がある場合に、前記表示方法決定手段は、前記一定の順序で前記表示手段で表示する請求項６記載の画像表示システム。
【請求項８】
音声発生手段を備え、前記表示手段で表示している前記画像ブロックについて、前記表示方法決定手段が決定した前記表示順序を前記音声発生手段で報知する請求項６または７に記載の画像表示システム。
【請求項９】
前記表示方法決定手段は、前記表示順序の間の時間間隔を決定する請求項６〜８のいずれか１項記載の画像表示システム。
【請求項１０】
前記表示方法決定手段は、前記表示順序の間の時間間隔は、前記画像ブロックのサイズに応じて決定する請求項９記載の画像表示システム。
【請求項１１】
前記第２の機器は、調理関連機器または家事関連機器である請求項１〜１０のいずれか１項記載の画像表示システム。
【請求項１２】
画像を読み取るための画像読み取り手段と、予め決められたルールに従って前記画像読み
取り手段で読み取った画像情報を画像ブロックとして区切る区切り手段と、表示手段と、表示方法決定手段を備え、前記表示方法決定手段は、前記区切り手段によって区切られた画像ブロック単位毎に前記表示手段での表示方法を決定する画像表示装置。
【発明の詳細な説明】
【技術分野】
【０００１】
本発明は、手順や手順図などの記載内容を読み取って使用者に表示する画像表示システムおよび画像表示装置に関するものである。
【背景技術】
【０００２】
従来タッチペンがスキャナモードになって読み取ったイメージを、区切り制御手段であるスイッチで手動で区切って、蓄積し（キャラクタはキャラクタ列で区切り）、転送モード時にタッチペンで押さえた別の画面上へ転送する転送システムがあった（例えば、特許文献１参照）。
【先行技術文献】
【特許文献】
【０００３】
【特許文献１】特開２０００−２０７０７８号公報
【発明の概要】
【発明が解決しようとする課題】
【０００４】
しかしながら、従来の特許文献１は、読み取ったイメージを転送し、使用者が意図する区切り位置で区切ってデータ入力できるようにしてデータ入力効率を向上できるが、使用者が切り出したい区切りを、スイッチでいちいち区切る手間がかかり、使用者は表示したい場所しか定義できないものであった。
【０００５】
本発明は、前記従来の課題を解決するもので、読み取ったイメージを転送前または転送後に、イメージ区切りを自動的に行って画像ブロックとして切り出し、切り出した画像ブロック毎に、表示方法を使用者が定義できる画像表示システムまたは画像表示装置を提供することを目的とする。
【課題を解決するための手段】
【０００６】
前記従来の課題を解決するために、本発明の画像表示システムは、画像を読み取るための画像読み取り手段と、画像情報を送信するための送信手段とを備える第１の機器と、前記送信された画像情報を受信する受信手段と、表示手段を備える第２の機器を備え、前記第１の機器または前記第２の機器は、予め決められたルールに従って前記画像読み取り手段で読み取った画像を画像ブロックとして区切る区切り手段と表示方法決定手段を備え、前記表示方法決定手段は、前記区切り手段によって区切られた画像ブロック単位毎に前記表示手段での表示方法を決定するようにしたものである。
【０００７】
これによって、読み取った画像情報を転送前または転送後に、手間のかかる画像区切りを自動的に行って画像ブロックとして切り出し、切り出した画像ブロック毎に、表示方法を定義できる画像表示システムおよび画像表示装置とすることができる。
【発明の効果】
【０００８】
本発明の画像表示システムは、読み取った画像情報を転送前または転送後に、予め決められたルールに従ってイメージ区切りを自動的に行って画像ブロックとして切り出し、切り出した画像ブロック毎に表示方法を定義できるようにすることで、手書きの手順や料理本などのレシピや袋に印刷された手順図などの画像を読み取るだけで面倒な操作の必要なく自動的に区切って、しかも使用者の好みの表示方法で表示する画像表示システムとすることができる。
【図面の簡単な説明】
【０００９】
【図１】本発明の実施の形態１における画像表示システムの構成を示すブロック図
【図２】同画像表示システムの画像ブロック自動区切りの一例を示す図
【図３】同画像表示システムの画像ブロック自動区切り動作の流れを示すフローチャート
【図４】同画像表示システムの表示サイズ変換動作の流れを示すフローチャート
【図５】同画像表示システムの表示の一例を示す図
【図６】本発明の実施の形態２における画像表示システムの構成を示すブロック図
【図７】本発明の実施の形態３における画像表示システムの構成を示すブロック図
【図８】本発明の実施の形態４における画像表示システムの構成を示すブロック図
【図９】同画像表示システムの表示順序読み取りの一例を示す図
【図１０】同画像表示システムの表示時間間隔決定の流れを示すフローチャート
【図１１】同画像表示システムの機器構成の一例を示す図
【図１２】本発明の実施の形態５における画像表示装置の構成を示すブロック図
【発明を実施するための形態】
【００１０】
第１の発明は、画像を読み取るための画像読み取り手段と、画像情報を送信するための送信手段とを備える第１の機器と、前記送信された画像情報を受信する受信手段と、表示手段を備える第２の機器を備え、前記第１の機器または前記第２の機器は、予め決められたルールに従って前記画像読み取り手段で読み取った画像を画像ブロックとして区切る区切り手段と表示方法決定手段を備え、前記表示方法決定手段は、前記区切り手段によって区切られた画像ブロック単位毎に前記表示手段での表示方法を決定することで、読み取ったイメージを転送前または転送後に、イメージ区切りを自動的に行って画像ブロックとして切り出し、切り出した画像ブロック毎に、表示方法を使用者が定義できる画像表示システムとすることができる。
【００１１】
第２の発明は、特に、第１の発明の画像表示システムで、前記区切り手段は、前記画像読み取り手段が読み取った画像情報の輝度または色などの画素値が隣接する画素間の差が所定値以下の部分が所定面積以上あった場合に、前記所定値以下の部分に囲まれる部分を前記画像ブロックとして区切るので、手順や手順図において区切りとして使われることの多い周辺空白部や囲み線などをイメージ区切りとして手順の１つ１つもしくはグループ単位に画像ブロックとして自動的に切り出すことができる画像表示システムとすることができる。
【００１２】
第３の発明は、特に、第１の発明または第２の発明の画像表示システムで、区切り枠記憶手段を備え、前記区切り手段は、前記画像読み取り手段が読み取った画像情報の中に、前記区切り枠記憶手段に記憶されている区切り枠を認識した場合に、囲まれる部分を前記画像ブロックとして区切ることにより、周辺空白部や囲み線以外に、「」や飾り枠などの想定される区切りを予め登録しておくことにより、登録内容と一致した場合にイメージ区切りとして有効とし、手順の１つ１つもしくはグループ単位に画像ブロックとして自動的に切り出すことができる画像表示システムとすることができる。
【００１３】
第４の発明は、特に、第１〜第３の発明の画像表示システムで、前記表示方法決定手段は、前記表示手段の表示サイズに合わせて一番大きい前記画像ブロックを基準にサイズ変換を行うよう決定するので、使用者に手間がかかることなく、表示手段の表示サイズに合わせて、もとの手順のイメージと同比率で表示できる画像表示システムとすることができる。
【００１４】
第５の発明は、特に、第１〜第３の発明の画像表示システムで、前記表示方法決定手段は、前記表示手段の表示サイズに合わせて全ての前記画像ブロックがの縦または横が最大
サイズになるようサイズ変換を行うことを決定するので、表示手段のサイズ内で各々の画像ブロックができるだけ大きく表示され、使用者がより内容を確認しやすい画像表示システムとすることができる。
【００１５】
第６の発明は、特に、第１〜第５の発明の画像表示システムで、前記表示方法決定手段は、前記画像ブロックの表示順序を決定することにより、画像ブロック全てを同時に表示するのでなく、画像ブロックを手順の順序に合わせて表示したり、いくつかのグループ単位で順に表示したり、アニメーション表示することができ、表示手段の限られたサイズ内で有効に画像ブロックを表示する画像表示システムとすることができる。
【００１６】
第７の発明は、特に、第６の発明の画像表示システムで、数字または文字または記号などのキャラクタを認識するためのキャラクタ認識手段を備え、前記区切り手段は、区切った前記画像ブロックを含む所定画素数内に前記キャラクタ認識手段で認識したキャラクタに一定の順序がある場合に、前記表示方法決定手段は、前記一定の順序で前記表示手段で表示することにより、読み込む対象に意図的な順序を示す数字やアルファベットやマークなどがある場合に、その順序を自動的に反映して区切った画像ブロックの表示順序を決定する画像表示システムとすることができる。
【００１７】
第８の発明は、特に、第６の発明または第７の発明の画像表示システムで、音声発生手段を備え、前記表示手段で表示している前記画像ブロックについて、前記表示方法決定手段が決定した前記表示順序を前記音声発生手段で報知することにより、表示した順序が使用者によりわかりやすい画像表示システムとすることができる。
【００１８】
第９の発明は、特に、第６〜第８の発明の画像表示システムで、前記表示方法決定手段は、前記表示順序間の時間間隔を決定することにより、区切った画像ブロック毎の処理量の多さ、例えば処理時間のかかる手順は次の表示までの時間間隔を長くする等の対応ができ、使用者がよりわかりやすい画像表示システムとすることができる。
【００１９】
第１０の発明は、特に、第９の発明の画像表示システムで、前記表示方法決定手段は、前記表示順序間の時間間隔は、前記画像ブロックのサイズに応じて決定することにより、画像ブロックのサイズが大きいものは情報量が多いと自動的に判断して時間間隔を長く決定するので、表示順序間の時間間隔を予め決めなくとも、使用者が認識しやすい時間間隔で表示する画像表示システムとすることができる。
【００２０】
第１１の発明は、特に、第１〜第１０の発明の画像表示システムで、前記第２の機器は、調理関連機器または家事関連機器であることにより、別の機器で読み込んだ手書き手順メモや料理本レシピ、洗濯や家事の手順、あるいは機器の使い方やメンテナンスの手順なども調理関連機器または家事関連機器に転送して手順を確認しながら調理や家事を行うことができる画像表示システムとすることができる。
【００２１】
第１２の発明は、画像を読み取るための画像読み取り手段と、予め決められたルールに従って前記画像読み取り手段で読み取った画像情報を画像ブロックとして区切る区切り手段と、表示手段と、表示方法決定手段を備え、前記表示方法決定手段は、前記区切り手段によって区切られた画像ブロック単位毎に前記表示手段での表示方法を決定することにより、転送しなくとも１つの機器で、読み取った画像から自動的に画像ブロックを切り出して画像ブロック毎に表示方法を変更して手順表示できる画像表示装置とすることができる。
【００２２】
（実施の形態１）
図１は、本発明の実施の形態１における画像表示システムの構成を示すブロック図であ
る。また、図２は、同画像表示システムの画像ブロック自動区切りの一例を示す図、図３は、同画像表示システムの画像ブロック自動区切り動作の流れを示すフローチャートである。また、図４は、同画像表示システムの表示サイズ変換動作の流れを示すフローチャート、図５は、同画像表示システムの表示の一例を示す図である。
【００２３】
図１において、第１の機器である画像読み取り装置１０７と、第２の機器である画像ブロック表示装置１０８を備える画像表示システム１０１である。画像読み取り装置１０７は、画像読み取り手段１０９（本実施の形態では、カメラ）と画像情報を送信するための送信手段１１０を備えている。また、画像ブロック表示装置１０８は、送信手段１１０から送信された情報を受信するための受信手段１１１、受信した画像情報を記憶するための画像情報記憶手段１１２、表示手段１１３、画像情報記憶手段１１２に記憶した画像情報について予め決められたルールに従って画像ブロックとして区切る区切り手段１１４、区切り手段１１４で区切られた画像ブロック単位毎に表示手段１１３での表示方法を決定する表示方法決定手段１１５を備えている。
【００２４】
以上のように構成された画像表示システムについて、以下その動作、作用を説明する。まず、画像読み取り装置１０７が、図２に示したような、手順図（本実施の形態では、料理本からの切り抜きとしたが、手書きメモや手順書や袋などに印刷された手順図でもかまわない）を読み取り、画像情報（本実施の形態では、輝度情報。色情報などでもかまわない）を送信手段１１０で画像ブロック表示装置１０８に送信する。
【００２５】
画像ブロック表示装置１０８は、受信手段１１１で受信した輝度情報を、画像情報記憶手段１１２に記憶した後、区切り手段１１４に情報を入力する。
【００２６】
区切り手段１１４は、図３に示したように、全画素を８×８画素単位に分割し、８×８画素単位毎に平均輝度を算出し、レベル分けする（本実施の形態では、８レベル）（ステップ１）。さらに、全ての８×８画素単位について、上下左右斜めで隣接する８つの８×８画素単位全てと平均輝度レベルの差が２レベル以下のものを区切り枠候補としてラベリング処理を行う（ステップ２）。その結果、区切り枠候補としてラベリングされた８×８画素単位が閉ループとなる部分があれば、区切り枠候補としてラベリングされた８×８画素単位が２単位幅（即ち、１６画素幅）あるかチェックし、２単位幅あれば、区切り枠として検出（例えば、図２の区切り枠２０１で、本実施の形態では、矩形とした）し、閉鎖部分を画像ブロックとして抽出する（ステップ３〜６）。全ての区切り枠候補について実施し、図２の画像ブロック２０２〜２０５のように、画像ブロック抽出を終了する（ステップ７、８）。区切り枠とする幅は、任意としてもかまわないし、設定できるようにしてもかまわない。
【００２７】
次に、表示方法決定手段１１５は、図４に示すように、表示手段１１３に表示するために、図２の画像ブロック２０２〜２０５の表示サイズを決定する。即ち、予め各々の画像ブロックの表示サイズを最大サイズにするかどうかを指定しているので、最大サイズ指定されているなら、表示手段１１３のサイズに合わせて、全ての前記画像ブロックの縦または横が最大サイズになるようサイズ変換を行い（ステップ９、１０）、最大サイズ指定されていないなら、各画像ブロックのうち、最大面積のブロックを抽出し、その画像ブロックが表示範囲最大になるよう表示サイズ変換を行うよう表示方法を決定する（ステップ９、ステップ１１〜１３）。
【００２８】
図５は、各々の画像ブロックの表示サイズを最大サイズにするようにしている場合の、表示手段１１３への表示の一例である。画像ブロック２０２〜２０５が、表示画面１３０〜１３３で最大表示できるように表示方法を決定して表示する。図５に示したように、本実施の形態では、１画面あたり、１画像ブロックを表示するようにしたが、１画面あたり
、複数の画像ブロックを表示するように決定してもかまわないし、１画面あたりいくつの画像ブロックを表示するか設定できるようにしてもかまわない。
【００２９】
さらに、表示方法決定手段１１５は、図示しない設定手段により使用者が画像ブロックを選択して表示順序を指定できるようにしており、図５のように使用者が指定した順序に従って、表示画面１３０、１３１、１３２、１３３のように表示順序を決定する。
【００３０】
尚、本実施の形態では、区切り手段１１４での処理量を減らす目的で、８×８画素単位で区切り候補を検出するようにしたが、全画素対象で区切り候補を検出するようにしてもかまわない。
【００３１】
また、区切り枠を矩形としたが、楕円でも自由曲線でのループでもかまわない。
【００３２】
さらに、本実施の形態では、表示方法決定手段１１５では、予め表示サイズを最大サイズにするかどうかを指定しているようにしたが、表示サイズ設定手段を設けて、使用者が設定できるようにしてもかまわないし、また、使用者が画像ブロックを選択して表示サイズなどの表示方法を設定できるようにしてもかまわない。
【００３３】
以上のように、画像読み取り手段１０９と、画像情報を送信するための送信手段１１０とを備える第１の機器である画像読み取り装置１０７と、送信された画像情報を受信する受信手段１１１と、表示手段１１３を備える第２の機器である画像ブロック表示装置１０８を備え、画像ブロック表示装置１０８は、予め決められたルールに従って画像読み取り手段１０９で読み取った画像を画像ブロックとして区切る区切り手段１１４と表示方法決定手段１１５を備え、表示方法決定手段１１５は、区切り手段１１４によって区切られた画像ブロック単位毎に表示手段１１３での表示方法を決定することで、読み取ったイメージを転送前または転送後に、イメージ区切りを自動的に行って画像ブロックとして切り出し、切り出した画像ブロック毎に、表示方法を使用者が定義できる画像表示システムおよび画像表示装置とすることができる。
【００３４】
また、区切り手段１１４は、画像読み取り手段１０９が読み取った画像情報の輝度または色などの画素値が隣接する画素間の差が所定値以下の部分が所定面積以上あった場合に、所定値以下の部分に囲まれる部分を画像ブロックとして区切るので、手順や手順図において区切りとして使われることの多い周辺空白部や囲み線などをイメージ区切りとして手順の１つ１つもしくはグループ単位に画像ブロックとして自動的に切り出すことができる画像表示システムおよび画像表示装置とすることができる。
【００３５】
また、表示方法決定手段１１５は、表示手段１１３の表示サイズに合わせて一番大きい画像ブロックを基準にサイズ変換を行うよう決定するので、使用者に手間がかかることなく、表示手段の表示サイズに合わせて、もとの手順のイメージと同比率で表示できる画像表示システムおよび画像表示装置とすることができる。
【００３６】
さらに、表示方法決定手段１１５は、表示手段１１３の表示サイズに合わせて全ての画像ブロックの縦または横が最大サイズになるようサイズ変換を行うことを決定するので、表示手段のサイズ内で各々の画像ブロックができるだけ大きく表示され、使用者がより内容を確認しやすい画像表示システムおよび画像表示装置とすることができる。
【００３７】
表示方法決定手段１１５は、画像ブロックの表示順序を決定することにより、画像ブロック全てを同時に表示するのでなく、画像ブロックを手順の順序に合わせて表示したり、いくつかのグループ単位で順に表示したり、アニメーション表示することができ、表示手段の限られたサイズ内で有効に画像ブロックを表示する画像表示システムおよび画像表示
装置とすることができる。
【００３８】
（実施の形態２）
図６は、本発明の実施の形態２における画像表示システムの構成を示すブロック図である。図１の構成に加えて、区切り枠記憶手段１２２を備えている。
【００３９】
画像読み取り装置１０７が読み取った画像情報を送信し、画像ブロック表示装置１２１が受信して、画像情報記憶手段１１２に記憶した後、区切り手段１１４に情報を入力する動作は、実施の形態１と同様である。
【００４０】
区切り手段１１４は、実施の形態１で示した区切り枠検出動作に入る前に、区切り枠記憶手段１１２に記憶している区切り枠と一致するものがないか倍率もいくつか変えて全画素について検索する。一致するものがあれば、区切り枠検出とし、囲まれている部分を画像ブロックとして抽出する。区切り枠記憶手段１１２に記憶している区切り枠が、「」のように閉ループでない場合は、「」の線が途切れている部分に線を延長して矩形を想定し、画像ブロックを抽出する。
【００４１】
区切り枠記憶手段１１２に記憶している区切り枠による画像ブロックを抽出終了後、実施の形態１に示した画像ブロック抽出動作を行う。
【００４２】
区切り枠記憶手段１１２を備え、区切り手段１１４は、画像読み取り手段１０９が読み取った画像情報の中に、区切り枠記憶手段１１２に記憶されている区切り枠を認識した場合に、囲まれる部分を画像ブロックとして区切ることにより、周辺空白部や囲み線以外に、「」や飾り枠などの想定される区切りを予め登録しておくことにより、登録内容と一致した場合にイメージ区切りとして有効とし、手順の１つ１つもしくはグループ単位に画像ブロックとして自動的に切り出すことができる画像表示システムおよび画像表示装置とすることができる。
【００４３】
本実施の形態では、区切り枠記憶手段１１２に記憶している区切り枠は予め記憶するようにしたが、使用者が設定できるようにしてもかまわない。
【００４４】
（実施の形態３）
図７は、本発明の実施の形態３における画像表示システムの構成を示すブロック図である。
【００４５】
図７において、第１の機器である画像読み取り装置１１６と、第２の機器である画像ブロック表示装置１１７を備える画像表示システムである。画像読み取り装置１１６は、画像読み取り手段１０９と読み取った画像情報を記憶するための画像情報記憶手段１１２と画像情報記憶手段１１２に記憶した画像情報について予め決められたルールに従って画像ブロックとして区切る区切り手段１１９と区切り手段１１９で区切った後の画像ブロックを送信するための送信手段１１０を備えている。また、画像ブロック表示装置１１７は、送信手段１１０から送信された情報を受信するための受信手段１１１、受信した画像情報を記憶するための画像情報記憶手段１２０、表示手段１１３、送信された画像ブロック単位毎に表示手段１１３での表示方法を決定する表示方法決定手段１１５を備えている。
【００４６】
区切り枠検出や画像ブロック抽出の動作は、実施の形態１と同様である。
【００４７】
以上のように、画像を読み取るための画像読み取り手段１０９と、画像情報を送信するための送信手段１１０とを備える第１の機器である画像読み取り装置１１６と、送信された画像情報を受信する受信手段１１１と、表示手段１１３を備える第２の機器である画
像ブロック表示装置１１７を備え、画像読み取り装置１１６は、予め決められたルールに従って前記画像読み取り手段で読み取った画像を画像ブロックとして区切る区切り手段１１９を備えて区切り枠を検出して画像ブロックを抽出して送信し、画像ブロック表示装置１１７は、表示方法決定手段１１５を備えて、受信した画像ブロック単位毎に前記表示手段での表示方法を決定することで、読み取ったイメージを転送前または転送後に、イメージ区切りを自動的に行って画像ブロックとして切り出し、切り出した画像ブロック毎に、表示方法を使用者が定義できる画像表示システムおよび画像表示装置とすることができる。
【００４８】
（実施の形態４）
図８は、本発明の実施の形態４における画像表示システムの構成を示すブロック図である。図６の構成に加えて、キャラクタ認識手段１２４と音声発生手段１２５を備えている。また、図９は、同画像表示システムの表示順序読み取りの一例を示す図で、図１０は、同画像表示システムの表示時間間隔決定の流れを示すフローチャート、図１１は、同画像表示システムの機器構成の一例を示す図である。
【００４９】
画像読み取り装置１０７が読み取った画像情報を送信し、画像ブロック表示装置１２３が受信して、画像情報記憶手段１１２に記憶した後、区切り手段１１４に情報を入力し、区切り枠を検出して画像ブロックを抽出する動作は、実施の形態２と同様である。
【００５０】
キャラクタ認識手段１２４は、図９に示したように、区切り手段１１４が抽出した画像ブロックの周囲（本実施の形態では、画像ブロック周囲の内または外１６×１６画素内）に数字、文字などを検出した場合（図９の２０６〜２０８）、区切り手段１１４に情報を出力する。
【００５１】
区切り手段１１４は、キャラクタ認識手段１２４が認識した順序を示すもの（“１”“２”“３”や、“ａ”“ｂ”“ｃ”や、“い”“ろ”“は”や、“Ｉ”“ＩＩ”“ＩＩＩ”など）である時には、抽出した画像ブロックを順序と紐づける。
【００５２】
表示方法決定手段１１５は、区切り手段１１４が抽出した画像ブロックに紐づけられた順序を表示順序として決定し、その順序で表示手段１１３に表示する。表示の時間間隔については、図１０に示したように、予め表示順序間の時間間隔の指定がある場合は、指定された時間間隔で順次表示を行い（ステップ１４、１５）、指定がない場合は、区切り手段１１４が抽出した画像ブロックの面積が大きいほど表示時間間隔を長くする（本実施の形態では、一番小さいものを５秒として、面積ランクに応じて時間を増やすようにした）。また、表示時には、音声発生手段１２５により、表示している画像ブロックに紐づけられた順序もしくはキャラクタに該当する音声を発生させて報知する。
【００５３】
また、本実施の形態では、図１１に示したように、画像読み取り装置１０７をカメラ付き携帯端末１２７、画像ブロック表示装置１２３をオーブン電子レンジ１２８として手順図１２６をカメラ付き携帯端末１２７で読み取って、オーブン電子レンジ１２８の表示部１２９で画像ブロック毎に順序付けして表示し、音声報知するようにした。
【００５４】
尚、本実施の形態では、順序単位で表示と音声報知を行うようにしたが、連続する順序の複数の画像ブロックを１画面で表示し音声報知するようにしてもかまわないし、表示時間間隔も使用者が設定できるようにしてもかまわない。
【００５５】
また、音声発生手段１２５での音声報知は、報知の有無を使用者が選択できるようにしてもかまわない。
【００５６】
さらに、本実施の形態では、画像読み取り装置１０７をカメラ付き携帯端末１２７としたが、ハンディスキャナなどにしてもかまわないし、画像ブロック表示装置１２３をオーブン電子レンジ１２８としたが、ＩＨクッキングテーブル、冷蔵庫、洗濯機、乾燥機、給湯機リモコンなどの調理関連機器や家事関連機器としてもかまわない。
【００５７】
以上のように、第２の機器である画像ブロック表示装置１２３に、数字または文字または記号などのキャラクタを認識するためのキャラクタ認識手段１２４を備え、区切り手段１１４は、区切った画像ブロックを含む所定画素数内にキャラクタ認識手段１２４で認識したキャラクタに一定の順序がある場合に、表示方法決定手段１１５は、その順序で表示手段１１３で表示することにより、読み込む対象に意図的な順序を示す数字やアルファベットやマークなどがある場合に、その順序を自動的に反映して区切った画像ブロックの表示順序を決定する画像表示システムおよび画像表示装置とすることができる。
【００５８】
また、第２の機器である画像ブロック表示装置１２３に音声発生手段を備え、表示手段１１３で表示している画像ブロックについて、表示方法決定手段１１５が決定した表示順序を音声発生手段１２５で報知することにより、表示した順序が使用者によりわかりやすい画像表示システムおよび画像表示装置とすることができる。
【００５９】
また、表示方法決定手段１１５は、表示順序間の時間間隔を決定することにより、区切った画像ブロック毎の処理量の多さ、例えば処理時間のかかる手順は次の表示までの時間間隔を長くする等の対応ができ、使用者がよりわかりやすい画像表示システムおよび画像表示装置とすることができる。
【００６０】
さらに、表示方法決定手段１１５は、表示順序間の時間間隔は、画像ブロックのサイズに応じて決定することにより、画像ブロックのサイズが大きいものは情報量が多いと自動的に判断して時間間隔を長く決定するので、表示順序間の時間間隔を予め決めなくとも、使用者が認識しやすい時間間隔で表示する画像表示システムおよび画像表示装置とすることができる。
【００６１】
また、第２の機器は、調理関連機器または家事関連機器であることにより、別の機器で読み込んだ手書き手順メモや料理本レシピ、洗濯や家事の手順、あるいは機器の使い方やメンテナンスの手順なども調理関連機器または家事関連機器に転送して手順を確認しながら調理や家事を行うことができる画像表示システムおよび画像表示装置とすることができる。
【００６２】
（実施の形態５）
図１２は、本発明の実施の形態５における画像表示システムの構成を示すブロック図である。
【００６３】
図１に示した構成を、第１の機器と第２の機器に分けていた構成要素のうち、通信手段（送信手段１１０、受信手段１１１）をなくし、１つの画像表示装置３０１としたものである。
【００６４】
通信以外の動作は、図１と同様である。画像表示装置３０１を、第１の機器であるカメラ付き携帯端末としても良いし、第２の機器であるオーブン電子レンジとしてもかまわない。
【００６５】
以上のように、画像を読み取るための画像読み取り手段１０２と、予め決められたルールに従って画像読み取り手段１０２で読み取った画像情報を画像ブロックとして区切る区切り手段１０４と、表示手段１０５と、表示方法決定手段１０６を備え、表示方法決定手
段１０６は、区切り手段１０４によって区切られた画像ブロック単位毎に表示手段１０５での表示方法を決定することにより、転送しなくとも１つの機器で、読み取った画像から自動的に画像ブロックを切り出して画像ブロック毎に表示方法を変更して手順表示する画像表示装置とすることができる。
【産業上の利用可能性】
【００６６】
以上のように、本発明にかかる画像表示システムおよび画像表示装置は、使用者が意図する区切り位置を手動指定する手間なく、切り出し画像ブロック毎に表示方法を定義でき、家庭内だけでなく業務用としても手順書の表示操作の利便性を向上させるのに有用である。
【符号の説明】
【００６７】
１０１  画像表示システム
１０７、１１６  画像読み取り装置（第１の機器）
１０８、１１７、１２１、１２３  画像ブロック表示装置（第２の機器）
１０２、１０９  画像読み取り手段
１１０  送信手段
１１１  受信手段
１０５、１１３  表示手段
１０４、１１４、１１９  区切り手段
１０６、１１５  表示方法決定手段
３０１  画像表示装置
【図１】
2013218131.tif 000003
【図３】
2013218131.tif 000004
【図４】
2013218131.tif 000005
【図６】
2013218131.tif 000006
【図７】
2013218131.tif 000007
【図８】
2013218131.tif 000008
【図１０】
2013218131.tif 000009
【図１１】
2013218131.tif 000010
【図１２】
2013218131.tif 000011
【図２】
2013218131.tif 000012
【図５】
2013218131.tif 000013
【図９】
2013218131.tif 000014